(57)【要約】【課題】差込部にタブを差し込んで再封する構成のカートンにおいて、再封されたことを認識させることができるカートンを提供すること。【解決手段】食品用のカートン１は、筒状の胴部２と、胴部２の軸方向の一端部を塞ぐ底面部３と、胴部２の軸方向の他端部を開封可能に設けられた開封面部７と、開封面部に設けられたタブ８と、タブ８が差し込まれる差込部９とを備え、タブ８は、当該タブ８を開封面部７に対して折曲可能な折曲線８１を備え、差込部９は、タブ８の突出方向と反対方向に凸となる曲線に切断され、開封面部７を開封前の位置にしたときに、頂点が折曲線８１よりも開封面部７側に位置する第１切断線９１と、第１切断線９１で囲まれた領域によって形成され、タブ８を第１切断線９１側に案内する案内面部９２とを備えている。【選択図】図３
2020164180.tif 000002
【特許請求の範囲】
【請求項１】
食品用のカートンであって、
筒状の胴部と、
前記胴部の軸方向の一端部を塞ぐ底面部と、
前記胴部の軸方向の他端部を開封可能に設けられた開封面部と、
前記開封面部に設けられたタブと、
前記タブが差し込まれる差込部とを備え、
前記タブは、当該タブを前記開封面部に対して折曲可能な折曲線を備え、
前記差込部は、
前記タブの突出方向と反対方向に凸となる曲線に切断され、前記開封面部を開封前の位置にしたときに、頂点が前記折曲線よりも前記開封面部側に位置する第１切断線と、
前記第１切断線で囲まれた領域によって形成され、前記タブを前記第１切断線側に案内する案内面部とを備えていることを特徴とするカートン。
【請求項２】
前記差込部は、前記第１切断線の前記頂点から前記第１切断線で囲まれた領域に向かって延設され、前記案内面部を分割する第２切断線を備えていることを特徴とする請求項１に記載のカートン。
【請求項３】
前記差込部は、前記案内面部を折曲可能な折曲線を備えていることを特徴とする請求項１または請求項２に記載のカートン。
【発明の詳細な説明】
【技術分野】
【０００１】
本発明は、カートンに関する。
【背景技術】
【０００２】
従来、開封したカートンを再封する際に音を発することで、カートンが再封されたことを認識させるように構成したものが知られている（例えば、特許文献１、２参照）。
【０００３】
特許文献１に記載のカートンは、食品を収容するための収容部と、前面および左右側面を有する立体形状の蓋部とを備えている。収容部の前面外側には、係止部が設けられ、蓋部の前面内側には、収容部の係止部とで再封部を構成する切抜きが形成されている。カートンを再封する際は、蓋部で収容部を閉じると、収容部の係止部が蓋部の切抜きに係止することで音が鳴るため、カートンが再封されたことを認識できる。
【０００４】
特許文献２に記載のカートンは、筒状の外箱と、外箱にスライド自在に収容された箱状の中舟とを備えている。外箱および中舟には、相互に再封部を構成する係合突起が設けられている。カートンを再封する際は、中舟をスライドさせて外箱に収容すると、中舟の係合突起が外箱の係合突起に係止することで音が鳴るため、カートンが再封されたことを認識できる。
【先行技術文献】
【特許文献】
【０００５】
【特許文献１】特開２００７−２８４１２０号公報
【特許文献２】特開２００９−０７３５４１号公報
【発明の概要】
【発明が解決しようとする課題】
【０００６】
しかしながら、差込部にタブを差し込んで再封する構成のカートンにおいて、再封されたことを認識させることができる構成のものはなく、また上記したような従来の再封構造は適用できないという問題がある。
【０００７】
本発明の目的は、差込部にタブを差し込んで再封する構成のカートンにおいて、再封されたことを認識させることができるカートンを提供することにある。
【課題を解決するための手段】
【０００８】
本発明のカートンは、食品用のカートンであって、筒状の胴部と、前記胴部の軸方向の一端部を塞ぐ底面部と、前記胴部の軸方向の他端部を開封可能に設けられた開封面部と、前記開封面部に設けられたタブと、前記タブが差し込まれる差込部とを備え、前記タブは、当該タブを前記開封面部に対して折曲可能な折曲線を備え、前記差込部は、前記タブの突出方向と反対方向に凸となる曲線に切断され、前記開封面部を開封前の位置にしたときに、頂点が前記折曲線よりも前記開封面部側に位置する第１切断線と、前記第１切断線で囲まれた領域によって形成され、前記タブを前記第１切断線側に案内する案内面部とを備えていることを特徴とする。
【０００９】
本発明によれば、差込部は、タブの突出方向と反対方向に凸となる曲線に切断され、頂点がタブの折曲線よりも開封面部側に位置する第１切断線を備えている。この場合、タブを差込部に差し込むためには、タブを差込部に向けて折り曲げ、差込部に押し込むことになる。この際、タブは、第１切断線で囲まれた案内面部を押圧しながら、案内面部によって第１切断線に向けて案内される。タブが差込部に差し込まれると、タブによる案内面部の押圧力が急激に減少し、案内面部がその反力で元の位置に戻ってタブを打突するため、その際発生するクリック音によって、カートンが再封されたことを認識させることができる。したがって、差込部にタブを差し込んで再封する構成のカートンにおいて、再封されたことを認識させることができる。
【００１０】
本発明のカートンにおいて、前記差込部は、前記第１切断線の前記頂点から前記第１切断線で囲まれた領域に向かって延設され、前記案内面部を分割する第２切断線を備えていることが好ましい。
【００１１】
本発明によれば、第２切断線が第１切断線の頂点から案内面部を分割するため、案内面部にタブを押し込みやすくすることができ、差込部にタブを容易に差し込むことができる。
【００１２】
本発明のカートンにおいて、前記差込部は、前記案内面部を折曲可能な折曲線を備えていることが好ましい。
【００１３】
本発明によれば、差込部は、案内面部を折曲可能な折曲線を備えているため、差込部にタブを差し込む際に案内面部が折れ曲がりやすくなり、差込部にタブを容易に差し込むことができる。
【図面の簡単な説明】
【００１４】
【図１】本発明の一実施形態に係るカートンの斜視図。
【図２】カートンの展開図。
【図３】カートンを開封した状態を示す平面図。
【図４】カートンの再封手順を示す斜視図。
【図５】カートンの再封手順を示す斜視図。
【図６】本発明の変形例に係るカートンの斜視図。
【発明を実施するための形態】
【００１５】
以下、図面に基づいて本発明の一実施形態について説明する。
なお、以下の記載において方向を表す場合、カートン１を図１に示すように置いた状態を基準とする。
【００１６】
［全体構成］
図１は、本実施形態に係るカートン１を示す斜視図である。図２は、カートン１の展開図（カートン形成用パネル（カートンブランクとも称する）１Ａの平面図）である。
図１において、カートン１は、個別包装された板状のチョコレート等の単数もしくは複数の食品ＦＤ（図３参照）を並べて収容可能な箱体であり、図２に示すように、板紙素材で形成されたカートン形成用パネル１Ａから組み立てられる。
【００１７】
図１および図２において、カートン１は、胴部２、底面部３、第１張出部４、一対の第２張出部５、６（図２参照）、開封面部７、タブ８、および差込部９を備えている。なお、タブ８および差込部９により、カートン１を再封するための再封部が構成される。
【００１８】
胴部２は、平面視略長方形の筒状とされている。胴部２は、第１側面部２１、２２と、第２側面部２３、２４とを備えている。
【００１９】
第１側面部２１、２２は、胴部２の長辺側の側面部分であり、胴部２の軸方向に直交する一方側から他方側に向かう開封方向Ｄに互いに対向している。
第１側面部２１は、開封方向Ｄの一方側に設けられている。
第１側面部２２は、開封方向Ｄの他方側に設けられ、当該他方側で開封面部７に連接している。
【００２０】
第２側面部２３、２４は、胴部２の短辺側の側面部分であり、胴部２の軸方向と開封方向Ｄとの両方向に直交する方向に互いに対向している。第２側面部２３、２４は、胴部２の周方向で第１側面部２１、２２に隣接している。
【００２１】
第２側面部２３は、本体部２３Ａと、フラップ２３Ｂ、２３Ｃとを備えている。
本体部２３Ａは、底面部３と第２張出部５とに連接している。
フラップ２３Ｂは、本体部２３Ａから胴部２の周方向の一方側に延設され、第１側面部２１に貼付される。
フラップ２３Ｃは、本体部２３Ａから胴部２の周方向の他方側に延設され、第１側面部２２に貼付される。
【００２２】
第２側面部２４は、第２側面部２３と同様に構成されているため、第２側面部２３の符号の先頭から２番目の３の記号を４に置き換えて図示し、その説明を省略する。
【００２３】
底面部３は、第１側面部２１、２２と第２側面部２３、２４とに連接し、胴部２の軸方向の一端部を塞いでいる。
【００２４】
第１張出部４は、第１側面部２１に連接し、第１側面部２１の上端部から胴部２の内方に張り出している。第１張出部４は、開封用切込線４１および切断部４２を備えている。
開封用切込線４１は、開封方向Ｄに直交する方向に延びる第１破断線４１Ａと、第１破断線４１Ａから開封方向Ｄに向かって次第に拡開するように延びる一対の第２破断線４１Ｂとで構成される。第１破断線４１Ａおよび第２破断線４１Ｂは、開封面部７に形成された切目が断続して列をなすいわゆるミシン目とされている。第２破断線４１Ｂは、第１張出部４における開封方向Ｄに直交する方向の両端まで延びている。
切断部４２は、第１張出部４の開封用切込線４１で囲まれた部分であり、カートン１の開封時に開封面部７によって引き上げられ、開封用切込線４１に沿って切断される。
【００２５】
第２張出部５は、第２側面部２３に連接し、第２側面部２３の上端部から胴部２の内方に張り出している。第２張出部５は、平面視略Ｌ字状とされ、第１側面部２２側よりも第１側面部２１側の方がより内方に張り出す形状とされている。
【００２６】
第２張出部６は、第２張出部５に対して線対称に配置されている。第２張出部６は、第２張出部５と同様に構成されているため、その説明を省略する。
【００２７】
開封面部７は、胴部２の軸方向の他端部、すなわち胴部２における底面部３の反対側の端部を開封可能に設けられ、基端部が第１側面部２２に連接するとともに、第１張出部４の少なくとも切断部４２に貼付されている。開封面部７は、胴部２の軸方向に直交する一方側から他方側に向かう開封方向Ｄに開封され、胴部２における底面部３の反対側の端部に開口１０および側面開口１１（図３参照）を形成する。
【００２８】
タブ８は、開封面部７に連接して設けられ、先端部に向って幅が次第に狭くなる形状に形成されている。本実施形態の場合、タブ８の先端縁は、湾曲線形状とされている。タブ８は、当該タブ８を開封面部７に対して折曲可能な折曲線８１を備えている。
折曲線８１は、直線形状とされ、例えば、タブ８に直線状にエンボス加工が施されて形成される。
【００２９】
差込部９は、タブ８が差し込まれる部分であり、第１張出部４に設けられている。差込部９は、第１切断線９１、案内面部９２、第２切断線９３、および折曲線９４を備えている。
第１切断線９１は、組立図（図１）および展開図（図２）において、開封面部７に対するタブ８の突出方向と反対方向に凸となる曲線に切断され、開封面部７を開封前の位置にしたときに、頂点がタブ８の折曲線８１よりも開封面部７側に位置するように形成されている。本実施形態の場合、第１切断線９１は、湾曲線形状に形成されている。
案内面部９２は、第１切断線９１で囲まれた領域によって形成され、タブ８を第１切断線９１側に案内する。
第２切断線９３は、第１切断線９１の頂点から第１切断線９１で囲まれた領域に向かって延設され、案内面部９２を分割している。
折曲線９４は、第１切断線９１の一端から他端に向かって延設され、案内面部９２を折曲可能に設けられている。折曲線９４は、直線形状とされ、例えば、第１張出部４に直線状にエンボス加工が施されて形成される。
【００３０】
［カートンの開封］
カートン１を開封する際は、タブ８を把持して引き上げつつ、当該タブ８を開封方向Ｄに引っ張る。これにより、図３に示すように、切断部４２が開封面部７によって引き上げられて開封用切込線４１に沿って切断され、開口１０と、開口１０に連通する側面開口１１とが形成される。
【００３１】
［カートンの再封］
カートン１を再封する際は、図４に示すように、開封面部７を開封前の位置に戻し、タブ８を差込部９に差し込む。この際、タブ８は、第１切断線９１で囲まれた案内面部９２を押圧しながら、案内面部９２によって第１切断線９１に向けて案内される。そして、図５に示すように、タブ８が差込部９に差し込まれると、タブ８による案内面部９２の押圧力が急激に減少し、案内面部９２がその反力で元の位置に戻ってタブ８を打突する。これにより、クリック音が発生するため、カートン１が再封されたことを認識することができる。また、タブ８が差込部９に係止され、開封面部７を閉じた状態を維持することができる。
【００３２】
以上のような実施形態によれば、差込部９は、タブ８の突出方向と反対方向に凸となる曲線に切断され、頂点がタブ８の折曲線８１よりも開封面部側に位置する第１切断線９１を備えている。この場合、タブ８を差込部９に差し込むためには、タブ８を差込部９に向けて折り曲げ、差込部９に押し込むことになる。この際、タブ８は、第１切断線９１で囲まれた案内面部９２を押圧しながら、案内面部９２によって第１切断線９１に向けて案内される。タブ８が差込部９に差し込まれると、タブ８による案内面部９２の押圧力が急激に減少し、案内面部９２がその反力で元の位置に戻ってタブ８を打突するため、その際発生するクリック音によって、カートン１が再封されたことを認識させることができる。
また、差込部９にタブ８を差し込んで再封する構成であり、タブ８や差込部９からなる再封部が見えるので、再封方法を容易に把握することができる。
したがって、差込部９にタブ８を差し込んで再封する構成で再封されたことを認識させることができ、再封方法を容易に把握することができる。
【００３３】
また、第２切断線９３が第１切断線９１の頂点から案内面部９２を分割するため、案内面部９２にタブ８を押し込みやすくすることができ、差込部９にタブ８を容易に差し込むことができる。
【００３４】
また、差込部９は、案内面部９２を折曲可能な折曲線９４を備えているため、差込部９にタブ８を差し込む際に案内面部９２が折れ曲がりやすくなり、差込部９にタブ８を容易に差し込むことができる。
【００３５】
［変形例］
なお、本発明は前述した実施形態に限定されるものではなく、本発明の目的を達成できる範囲での変形、改良等は本発明に含まれる。
例えば、胴部２は、平面視略長方形の筒状のものに限られず、例えば、平面視略三角形、正方形や菱形等の長方形以外の四角形、五角以上の多角形の筒状のものや、平面視略真円形、楕円形、長円形等の筒状のものでもよい。
【００３６】
第１側面部２１は、当該第１側面部２１から胴部２の周方向の一方側に延設されたフラップと、当該第１側面部２１から胴部２の周方向の他方側に延設されたフラップとを備え、これらのフラップが第２側面部２３、２４に貼付されてもよい。この場合、第２側面部２３、２４は、フラップ２３Ｂ、２４Ｂを備えていなくてもよい。
【００３７】
第１側面部２２は、当該第１側面部２２から胴部２の周方向の一方側に延設されたフラップと、当該第１側面部２２から胴部２の周方向の他方側に延設されたフラップとを備えてもよい。この場合、第２側面部２３、２４は、フラップ２３Ｃ、２４Ｃを備えていなくてもよい。
【００３８】
第１側面部２１、２２と第２側面部２３、２４とは、カートン形成用パネル１Ａの段階で予め互いに接続された状態に形成して連接させておいてもよいし、接着剤やヒートシール等で後から互いを接着して連接させてもよい。この場合、第１側面部２１、２２および第２側面部２３、２４は、フラップを備えていなくてもよい。
【００３９】
第１張出部４は、切断部４２を備えていてもよいし、備えていなくてもよい。
開封用切込線４１は、破断線で構成される場合に限定されず、例えば、第１張出部４を部分的に変質させた変質部で構成してもよいし、第１張出部４を部分的に薄肉にした薄肉部で構成してもよい。この場合、変質部や薄肉部は、破断線のように断続的に連なって並ぶように設けられてもよいし、連続する１本の線状に設けられてもよい。
切断部４２の形状は、実施形態のものに限定されず、例えば、平面視略三角形であってもよいし、正方形、長方形、菱形等の四角形であってもよいし、五角以上の多角形であってもよい。
【００４０】
タブ８の先端縁は、実施形態のものに限定されず、例えば、Ｖ字状、矩形状、多角形状等の折曲線形状とされてもよい。
折曲線８１は、例えば、タブ８を部分的に変質させた変質部や、タブ８を部分的に薄肉にした薄肉部で構成してもよいし、破断線で構成してもよい。
タブ８および差込部９は、複数設けられてもよく、例えば、開封面部７の先端部の位置に複数設けられてもよいし、開封面部７の開封方向Ｄに直行する両方の端部の位置に設けられてもよい。
【００４１】
差込部９は、図６に示すように、第１側面部２１に設けられてもよい。
第１切断線９１の形状は、実施形態のものに限定されず、例えば、Ｖ字状、矩形状等の折曲線形状とされていてもよい。
第２切断線９３は、第１切断線９１上の頂点以外の位置から延設されてもよいし、第１切断線９１上の頂点またはそれ以外の１点から複数延設されてもよいし、第１切断線９１上の異なる複数の位置から複数延設されてもよい。
折曲線９４は、例えば、第１張出部４を部分的に変質させた変質部や、第１張出部４を部分的に薄肉にした薄肉部で構成してもよいし、破断線で構成してもよい。
【符号の説明】
【００４２】
１…カートン、２…胴部、３…底面部、４…第１張出部、５、６…第２張出部、７…開封面部、８…タブ、９…差込部、８１…折曲線、９１…第１切断線、９２…案内面部、９３…第２切断線、９４…折曲線。
【図１】
2020164180.tif 000003
【図２】
2020164180.tif 000004
【図３】
2020164180.tif 000005
【図４】
2020164180.tif 000006
【図５】
2020164180.tif 000007
【図６】
2020164180.tif 000008